(57)【要約】【課題】コストの低廉化を図りつつ着座板上に買い物カゴを円滑に保持でき、着座時に不安定な状態とせずに、狭いスペースへの格納もできるようにした手押し車を提供する。【解決手段】前後両輪１６，１８を転動自在に支持する左右の脚体フレーム１３の間に、買い物カゴＫを横置きで載せることが可能でかつ着座可能な着座板３を設ける。着座板３は、買い物カゴＫの横寸法よりも短い前後寸法に設定され、着座板３よりも前方に飛び出す買い物カゴＫの飛び出し部分Ｋ１を保持する保持部材４を備える。保持部材４に、着座板３の裏面への没入位置と飛び出し部分Ｋ１よりも前方の突出位置との間で出没自在なスライダ部材４１を設け、スライダ部材４１の先端に、スライダ部材４１を付勢スプリングの付勢力に抗して突出位置に突出させた際に上方へ起立するように起倒可能に起き上がる当接片４２を飛び出し部分Ｋ１に対し前方から押圧した状態で当接させている。【選択図】図１４
2020075664.tif 000002
【特許請求の範囲】
【請求項１】
利用者が把持する上端の操舵部より下方へ延びる操舵フレームと、この操舵フレームの下端に連結され、前後両輪をそれぞれ転動自在に支持する左右の脚体フレームとが設けられた手押し車であって、
前記左右の脚体フレームの間には着座可能な着座板が設けられ、この着座板には、店舗内での購入予定品を入れる買い物カゴを横置きで載せることが可能とされ、
前記着座板は、前記買い物カゴを横置きに載せた際の当該買い物カゴの短手方向の寸法よりも短い前後寸法に設定され、その横置きに載せた際に前記着座板よりも前方に飛び出す前記買い物カゴの飛び出し部分を保持する保持部材を備えており、
前記保持部材は、
前記着座板の裏面に没入される没入位置と前記飛び出し部分よりも前方へ突出する突出位置との間で出没自在なスライダ部材と、
このスライダ部材の先端に設けられ、当該スライダ部材を前記着座板の裏面から突出位置に向かって突出させた際に上方へ起き上がった状態で前記飛び出し部分に前方から当接する起倒可能な当接片と、
この当接片を前記突出位置から前記没入位置に向かって付勢し、当該当接片を前記飛び出し部分に対し前方から押圧した状態で当接させる付勢手段と、
を備えていることを特徴とする手押し車。
【請求項２】
前記着座板の後端には、前記買い物カゴを載せる際にその底部を滑らせるように傾斜する傾斜面を有しかつその傾斜面の前端より前記買い物カゴの底部の後端を落とし込んで保持する落とし込み片が設けられており、
前記当接片は、前記買い物カゴを載せる際に前記飛び出し部分に対し前方から押圧するように上方へ起き上がった状態とされ、前記飛び出し部分に当接した状態で前記買い物カゴの底部の後端を前記傾斜面の前端より落とし込んで保持するまで前記付勢手段の付勢力に抗して前方の突出位置へ向かって押されている請求項１に記載の手押し車。
【請求項３】
前記着座板は、前記左右の脚体フレームの間に設けられた収容容器の開口部をヒンジにより開閉可能に閉塞する蓋体として兼用されている請求項１又は請求項２に記載の手押し車。
【請求項４】
前記落とし込み片は、前記傾斜面の前端を起点にして左右両方向へ平板状に拡張された板状拡張部を有し、平面視で略Ｔ字状に形成されている請求項２又は請求項３に記載の手押し車。
【発明の詳細な説明】
【技術分野】
【０００１】
本発明は、シルバーカーや歩行車などの手押し車に関する。
【背景技術】
【０００２】
この種の手押し車としては、上端の操舵部より下方へ延びる操舵フレームの下端に、前後輪をそれぞれ転動自在に支持する左右の脚体フレームが連結され、この左右の脚体フレームの間に着座可能な着座板が設けられている。
【０００３】
ところで、このような手押し車にあっては、着座板上に、店舗内において購入予定の商品を入れる買い物カゴがその長手方向を前後方向に延ばした縦置きの状態で載置できるようにしたものがあり、手押し車の利用者にとって店舗内での買い物が円滑に行えることになる。
【０００４】
その場合、着座板上に買い物カゴを縦置き状態で載置するに際し、着座板の前後長を買い物カゴの前後長に合わせて過分に長くする必要がある。そのため、着座板上に着座する際に着座位置が前寄りになることが否めず、これでは、着座板にかかる荷重が前側に偏って後輪が浮き易い傾向となり、着座時に手押し車が不安定な状態となるおそれがある。
【０００５】
しかも、手押し車が折り畳み機能を備えている場合には、前後方向に過分に長い着座板では折り畳んでもコンパクトになり難く、狭いスペースへの格納が困難となってしまう。
【０００６】
そこで、従来より、着座板の後端にヒンジにより連結された起倒可能な背もたれ板を設け、着座板上に倒伏させた背もたれ板を着座板に対し前後方向へ進退移動可能とすることで、着座板を前後方向へ過分に長くすることなく背もたれ板の背面上に、買い物カゴを縦置きの状態で載置できるようにしたものが知られている（特許文献１参照）。この場合、着座時に手押し車が不安定な状態となることなく、狭いスペースへの格納もできるようにしている。
【０００７】
また、背もたれ板の先端には買い物かごに対し前方から当接する当接片が設けられ、買い物カゴに対し付勢スプリングなどの付勢手段によって当接片を前方から押圧して買い物カゴを背もたれ板上に円滑に保持できるようにしている。
【先行技術文献】
【特許文献】
【０００８】
【特許文献１】特開平２０１６−１１０４５号公報
【発明の概要】
【発明が解決しようとする課題】
【０００９】
ところで、前記従来のものは、買い物カゴを載置する上で起倒可能な背もたれ板が必要となり、部品点数が嵩んでコストの低廉化を図る上で不利なものとなる。
【００１０】
本発明は、かかる点に鑑みてなされたものであり、その目的とするところは、背もたれ板を不要にしてコストの低廉化を図りつつ着座板上に買い物カゴを円滑に保持でき、着座時に不安定な状態となることなく、狭いスペースへの格納もできるようにした手押し車を提供することにある。
【課題を解決するための手段】
【００１１】
前記目的を達成するため、本発明では、利用者が把持する上端の操舵部より下方へ延びる操舵フレームと、この操舵フレームの下端に連結され、前後両輪をそれぞれ転動自在に支持する左右の脚体フレームとが設けられた手押し車を前提とする。また、前記左右の脚体フレームの間に着座可能な着座板を設け、この着座板に、店舗内での購入予定品を入れる買い物カゴを横置きで載せることが可能としている。更に、前記着座板は、前記買い物カゴを横置きに載せた際の当該買い物カゴの短手方向の寸法よりも短い前後寸法に設定され、その横置きに載せた際に前記着座板よりも前方に飛び出す前記買い物カゴの飛び出し部分を保持する保持部材を備えている。そして、前記保持部材に、前記着座板の裏面に没入される没入位置と前記飛び出し部分よりも前方へ突出する突出位置との間で出没自在なスライダ部材と、このスライダ部材の先端に設けられ、当該スライダ部材を前記着座板の裏面から突出位置に向かって突出させた際に上方へ起き上がった状態で前記飛び出し部分に前方から当接する起倒可能な当接片と、この当接片を前記突出位置から前記没入位置に向かって付勢し、当該当接片を前記飛び出し部分に対し前方から押圧した状態で当接させる付勢手段と、を備えることを特徴としている。
【００１２】
また、前記着座板の後端に、前記買い物カゴを載せる際にその底部を滑らせるように傾斜する傾斜面を有しかつその傾斜面の前端より前記買い物カゴの底部の後端を落とし込んで保持する落とし込み片を設ける。そして、前記当接片は、前記買い物カゴを載せる際に前記飛び出し部分に対し前方から押圧するように上方へ起き上がった状態とされ、前記飛び出し部分に当接した状態で前記買い物カゴの底部の後端を前記傾斜面の前端より落とし込んで保持するまで前記付勢手段の付勢力に抗して前方の突出位置へ向かって押されていてもよい。
【００１３】
また、前記着座板を、前記左右の脚体フレームの間に設けられた収容容器の開口部をヒンジにより開閉可能に閉塞する蓋体として兼用していてもよい。
【００１４】
更に、前記落とし込み片は、前記傾斜面の前端を起点にして左右両方向へ平板状に拡張された板状拡張部を有し、平面視で略Ｔ字状に形成されていることがこのましい。
【発明の効果】
【００１５】
以上、要するに、左右の脚体フレームの間に買い物カゴを横置きで載せることが可能でかつ買い物カゴの短手方向の寸法よりも短い前後寸法の着座板を設け、買い物カゴを載せた際に着座板よりも前方に飛び出す飛び出し部分を保持する保持部材に、着座板の裏面の没入位置と飛び出し部分よりも前方へ突出する突出位置との間で出没自在なスライダ部材と、スライダ部材を突出位置に向かって突出させた際に上方へ起き上がった状態で飛び出し部分に前方から当接する起倒可能な当接片と、この当接片を飛び出し部分に対し前方から押圧した状態で当接させる付勢手段とを備えている。
【００１６】
このため、着座板上に買い物カゴを載せる際にはスライダ部材を突出位置まで突出させることで、上方へ起き上がった状態の当接片によって買い物カゴを飛び出し部分に対し前方から押圧した状態で当接して円滑に保持する一方、着座する際には当接片を倒伏させた状態で付勢手段により保持部材と共に着座板の裏面に格納している。これにより、背もたれ板を不要にしてコストの低廉化を図りつつ着座板上に買い物カゴを円滑に保持でき、横置きに載せた状態の買い物カゴの短手方向の寸法よりも着座板の前後寸法を短く設定しても着座時に手押し車が不安定な状態となることなく、狭いスペースへ格納することもできる。
【００１７】
また、着座板の後端に落とし込み片を設け、買い物カゴを載せる際に飛び出し部分に対し前方から押圧するように上方へ起き上がった状態の当接片を当接させた状態で、買い物カゴの底部の後端を傾斜面の前端より落とし込んで保持するまで付勢手段の付勢力に抗して前方の突出位置へ向かって当接片を押すことで、付勢手段で付勢されていてもその付勢力に無理なく抗して買い物カゴの底部を傾斜面で滑らせながら前端より買い物カゴの底部の後端を落とし込んで円滑に保持することができる。
【００１８】
また、着座板を収容容器の開口部をヒンジにより開閉可能に閉塞する蓋体として兼用することで、着座板の下方に設けた収容容器の蓋体として着座板を有効利用することができる。
【００１９】
更に、落とし込み片に、傾斜面の前端を起点にして左右両方向へ平板状に拡張した板状拡張部を設けることで、傾斜面を滑らせて落とし込み片の前端より落とし込んだ買い物カゴの底部の後端を板状拡張部の広い面積でより円滑に保持することができる。
【図面の簡単な説明】
【００２０】
【図１】本発明の実施の形態に係る手押し車を着座板の倒伏状態で正面から視た正面図である。
【図２】図１の手押し車を側方から視た側面図である。
【図３】図１の手押し車を斜め前方から視た斜視図である。
【図４】図１の手押し車を折り畳んだ状態で側方から視た側面図である。
【図５】図４の手押し車を斜め前方から視た斜視図である。
【図６】図３の手押し車を着座板の起立状態で斜め前方から視た斜視図である。
【図７】図１の着座板上に買い物カゴを載せた状態で手押し車を斜め前方から視た斜視図である。
【図８】図７の買い物カゴを保持する保持部材のスライダ部材を没入させた状態で着座板を裏側から見た底面図である。
【図９】図８の着座板を斜め下方から見た斜視図である。
【図１０】図７のスライダ部材を突出させた状態で着座板を裏側から見た底面図である。
【図１１】図８のスライダ部材を没入位置から突出させ始めた状態で手押し車を斜め前方から視た斜視図である。
【図１２】図１１のスライダ部材を突出させた状態で手押し車を斜め前方から視た斜視図である。
【図１３】図１２の着座板の上に買い物カゴを載せ始めた状態の手押し車を側方から視た側面図である。
【図１４】図１３の着座板の上に買い物カゴを載せ終えた状態の手押し車を側方から視た側面図である。
【図１５】図１２の着座板の右側の落とし込み片を手押し車の右側方から見た側面図である。
【図１６】図１５の落とし込み片を前方から見た正面図である。
【図１７】図１５の落とし込み片を上方から見た平面図である。
【発明を実施するための形態】
【００２１】
以下、本発明の実施の形態に係る手押し車を図面に基づいて説明する。
【００２２】
図１は本発明の実施の形態に係る手押し車を着座板の倒伏状態で正面から視た正面図、図２は図１の手押し車を側方から視た側面図、図３は図１の手押し車を斜め前方から視た斜視図をそれぞれ示している。この図１〜図３に示すように、手押し車Ａは、シルバーカーとして用いられ、上端に操舵部としてのハンドル部１１を備えている。このハンドル部１１は、利用者が把持し易いように左右方向へ延びている。また、手押し車Ａは、ハンドル部１１の左右両端よりそれぞれ下方へ延びる操舵フレームとしてのハンドルフレーム１２，１２を備えている。
【００２３】
各ハンドルフレーム１２は、その下端に対し上下方向へ延びる左右一対の脚体フレーム１３，１３の上端がそれぞれ長さ調整可能に挿通された状態で最適位置において固定されている。この各脚体フレーム１３の下端には、前方へ延びたのち下方へ延びる略Ｌ字状の前輪側脚体フレーム１４の基端部（後端部）がそれぞれ水平軸１５回りに回動自在に支持されている。この各前輪側脚体フレーム１４の先端（下端）には、前輪１６が転動自在に支持されている。また、各前輪側脚体フレーム１４の中途部同士は、左右方向へ延びる横フレーム１９によって強固に連結されている。
【００２４】
一方、各脚体フレーム１３の下端には、左右方向へ延びたのちその左右両端よりそれぞれ斜め後方へ延びる略コ字状の後輪側脚体フレーム１７が、各前輪側脚体フレーム１４、並びに後述する下側の容器フレーム２１及び容器後端フレーム２２を介して支持されている。この後輪側脚体フレーム１７の両端（後端）には、後輪１８がそれぞれ転動自在に支持されている。また、各後輪１８には、図示しない制動装置が設けられている。そして、ハンドル部１１の前側には左右方向へ延びるブレーキレバー１０が基端の水平軸回りに回動自在に支持され、このブレーキレバー１０をハンドル部１１側に引き寄せるように回動操作することで制動装置が作動するようになっている。
【００２５】
左右の脚体フレーム１３，１３の間には、購入した商品を収容する収容容器２が設けられている。この収容容器２は、上下両側において互いに対峙するように配置された、後方へ開口する略Ｕ字状の容器フレーム２１，２１を備えている。この上下両側の容器フレーム２１，２１は、前部の左右両側において略四分の一円弧状に湾曲する湾曲部２１１，２１１と、この両湾曲部２１１，２１１の一端（内方端）同士を連結する左右方向中央の前側直線部２１２と、両湾曲部２１１，２１１の他端（後端）よりそれぞれ後方へ延びる左右直線部２１３，２１３とを備えている。
【００２６】
各脚体フレーム１３の上端部位は、各容器フレーム２１の左右直線部２１３に対し左右方向へ延びる水平軸２０を介して回転自在に支持されている。また、下側の容器フレーム２１には、当該容器フレーム２１に周縁を則した形状の底板３０が取り付けられている。
【００２７】
また、収容容器２は、後輪側脚体フレーム１７に左右の両下端がそれぞれ固着された、下方へ開口する略Ｕ字状の容器後端フレーム２２と、上下の容器フレーム２１，２１の前側直線部２１２をその上下両端においてそれぞれ水平軸回りに回転自在に支持する左右一対の容器前端フレーム２３，２３と、上下の容器フレーム２１，２１間において当該各容器フレーム２１とほぼ同一形状で上下方向に略等間隔置きに配置された６本の柵状部材２４，２４，…とを備えている。各柵状部材２４は、それぞれの後端同士が左右方向に延びて環状を呈する形状に連結され、容器後端フレーム２２及び各容器前端フレーム２３に対しそれぞれ左右方向へ直線状に延びる水平軸回りに回転自在に支持されている。
【００２８】
各柵状部材２４は、容器後端フレーム２２の上下方向へ延びる左右の直線部分同士の間においても後端同士が左右方向へ延びて環状を呈するように連結されている。また、上下両側の容器フレーム２１，２１の両端（左右直線部２１３の後端）は、容器後端フレーム２２の左右の直線部分における上下両端部に対しそれぞれ水平軸２５回りに回動自在に支持されている。
【００２９】
各前輪側脚体フレーム１４の後端は、各脚体フレーム１３の下端との支持部（水平軸１５）よりも後方へ延び、下側の容器フレーム２１の左右直線部２１３，２１３の中途部に固着されたブラケット２６に対し左右方向へ延びる水平軸２７を介して回転自在に支持されている。また、各脚体フレーム１３の長手方向略中間部には、左右方向外方へ延びるピン２８がそれぞれ突設されている。この各ピン２８と、上側の容器フレーム２１の後端（左右直線部２１３の後端）と容器後端フレーム２２の左右の直線部分の上端部とを支持する水平軸２５との間には、折曲リンク２９がそれぞれ設けられている。
【００３０】
各折曲リンク２９は、各脚体フレーム１３のピン２８に一端が回転自在に連結された第１リンク２９１と、各水平軸２５に一端が回転自在に連結された第２リンク２９２と、第１及び第２リンク２９１，２９２の他端同士を回動自在に連結する連結ピン２９３とを備えている。連結ピン２９３は断面略コ字状のブラケット２９４に設けられ、当該連結ピン２９３を前方へ位置させるように第１及び第２リンク２９１，２９２を屈曲させることで、連結ピン２９３回りの第１及び第２リンク２９１，２９２の回動が規制され、手押し車Ａが展開姿勢に保持されて使用状態となる。
【００３１】
図４は図１の手押し車Ａを折り畳んだ状態で側方から視た側面図、図５は図４の手押し車Ａを斜め前方から視た斜視図をそれぞれ示している。図４及び図５に示すように、手押し車Ａは、左右のブラケット２９４，２９４を斜め後方へ押し下げ操作して連結ピン２９３を後方へ位置させるように第１及び第２リンク２９１，２９２を逆向きに屈曲させた状態で、上側の容器フレーム２１の前端を上方へ引き上げ操作することで、当該容器フレーム２１が水平軸２５回りに回転し、格納姿勢に折り畳まれて不使用状態となる。
【００３２】
このとき、容器フレーム２１の水平軸２５回りの回転に伴い、各脚体フレーム１３も水平軸２０，２５回りに回転し、下側の容器フレーム２１及び容器後端フレーム２２が水平軸２５回りに、各前輪側脚体フレーム１４が水平軸１５，２７回りにそれぞれ回転して、手押し車Ａが折り畳まれるように構成されている。更に、各容器フレーム２１の前側直線部２１２も各容器前端フレーム２３に対し軸回りに回転するとともに、各柵状部材２４も容器後端フレーム２２及び各容器前端フレーム２３に対しそれぞれ軸回りに回転する。
【００３３】
図６は図３の手押し車Ａを着座板の起立状態で斜め前方から視た斜視図を示している。この図６に示すように、左右の脚体フレーム１３，１３の間には、着座可能な着座板３が設けられている。この着座板３は、収容容器２の開口部つまり上側の容器フレーム２１の周縁をヒンジ３１により開閉可能に閉塞する蓋体として兼用されている。このヒンジ３１は、着座板３の後端部を左右方向に延びるロッド部材３１１と、このロッド部材３１１の左右両端を回転自在に支持する、上側の容器フレーム２１の左右直線部２１３，２１３の後端に開口する支持孔（図示せず）とで構成されている。
【００３４】
図７は図１の着座板３上に買い物カゴＫを載せた状態で手押し車Ａを斜め前方から視た斜視図を示している。図７に示すように、着座板３上には、スーパーマーケットなどの店舗内に設置されかつこの店舗内での購入予定品を入れる買い物カゴＫを横置きで載せることが可能とされている。着座板３は、買い物カゴＫを横置きに載せた際の当該買い物カゴＫの横寸法よりも短い前後寸法に設定されている。そして、着座板３には、買い物カゴＫを横置きに載せた際に着座板３よりも前方に飛び出す買い物カゴＫの飛び出し部分Ｋ１を保持する保持部材４が設けられている。
【００３５】
図８は図７の買い物カゴＫを保持する保持部材４のスライダ部材を没入させた状態で着座板を裏側から見た底面図、図９は図８の着座板３を斜め下方から見た斜視図、図１０は図７のスライダ部材を突出させた状態で着座板３を裏側から見た底面図をそれぞれ示している。図８〜図１０に示すように、保持部材４は、着座板３の裏面に凹設された前後方向へ延びる断面略コ字状の凹部３２内を摺動するスライダ部材４１を備えている。
【００３６】
スライダ部材４１は、凹部３２に摺接する前後方向に長い摺接部４１１と、凹部３２の先端部（前端部）において左右両方向へそれぞれ段差状に拡張する凹部拡張部位３２１の形状に応じて摺接部４１１の先端（前端）より左右両方向へそれぞれ段差状に拡張された拡張部４１２とを備えている。このスライダ部材４１は、上方へ開口する断面略コ字状に形成され、その開口が着座板３の裏面に摺接して遮蔽されている。そして、スライダ部材４１は、着座板３の裏面の凹部３２内に没入される没入位置（図８及び図９に示す位置）と買い物カゴＫの飛び出し部分Ｋ１よりも前方へ突出する突出位置（図１０に示す位置）との間で出没自在に設けられている。
【００３７】
図１１は図８のスライダ部材４１を没入位置から突出させ始めた状態で手押し車Ａを斜め前方から視た斜視図、図１２は図１１のスライダ部材４１を突出させた状態で手押し車Ａを斜め前方から視た斜視図をそれぞれ示している。図１１及び図１２に示すように、保持部材４は、スライダ部材４１を着座板３の裏面から突出位置に向かって前方へ突出した際に衝立のように起立する当接片４２を備えている。
【００３８】
また、保持部材４は、スライダ部材４１を突出位置から没入位置に向かって没入させるように付勢する付勢手段としての付勢スプリング４０を備えている。この付勢スプリング４０は、スライダ部材４１の摺接部４１１の後端と凹部３２内の後端との間に連結されている。更に、スライダ部材４１の拡張部４１２の先端（前端）には、スライダ部材４１を引き出し易くするために下方へ若干量（例えば５０ｍｍ程度）だけ突設された取っ手４９が設けられている。
【００３９】
当接片４２は、スライダ部材４１の拡張部４１２の先端内部を左右方向へ延びる支持軸４３に回転自在に支持されている。また、当接片４２は、支持軸４３に巻回されて一端がスライダ部材４１に係止された巻回スプリング４４の他端に係止され、この巻回スプリング４４の巻回力により起立する方向へ付勢されている。そして、当接片４２は、スライダ部材４１が没入位置にあるときに拡張部４１２内で着座板３の裏面との当接によって起立姿勢への変換が規制されている一方、スライダ部材４１を没入位置から所定量突出させたとき（当接片４２の前後長に相当する量だけ拡張部４１２を引き出したとき）に着座板３の裏面との当接による規制が解除されて起立姿勢へ変換されるようになっている。
【００４０】
当接片４２は、着座板３上に買い物カゴＫを横置きに載せた際に付勢スプリンク４０の付勢力に抗してスライダ部材４１が突出位置まで引き出されると、着座板３よりも前方に飛び出す買い物カゴＫの飛び出し部分Ｋ１に対し前方から押圧した状態で当接する。また、当接片４２の背面（買い物カゴＫの飛び出し部分Ｋ１との当接面）にはシリコン製のシート材４５が貼り付けられ、買い物カゴＫの飛び出し部分Ｋ１に対し当接片４２を滑り難い状態で押圧している。
【００４１】
図１３は図１２の着座板３の上に買い物カゴＫを載せ始めた状態の手押し車Ａを側方から視た側面図、図１４は図１３の着座板３の上に買い物カゴＫを載せ終えた状態の手押し車Ａを側方から視た側面図をそれぞれ示している。また、図１５は図１２の着座板３の右側の落とし込み片を手押し車Ａの右側方から見た側面図、図１６は図１５の落とし込み片を前方から見た正面図、図１７は図１５の落とし込み片を上方から見た平面図をそれぞれ示している。
【００４２】
図１３〜図１７にも示すように、着座板３の後端左右両位置には、買い物カゴＫの底面に設けられた枠状の脚体Ｋ２（底部）の後端を落とし込んで保持する落とし込み片３３，３３が設けられている。各落とし込み片３３は、付勢スプリング４０の付勢力に抗して買い物カゴＫの脚体Ｋ２を滑らせるように傾斜する傾斜面３３１を有している。
【００４３】
また、各落とし込み片３３は、傾斜面３３１の前端を起点にして左右両方向へ平板状に拡張された板状拡張部３４を一体的に有し、平面視で略Ｔ字状に形成されている。板状拡張部３４の前面は、上下方向及び左右方向の長さがそれぞれ１４ｍｍに設定されている。また、板状拡張部３４の前面の左右両側端には、左右方向の幅が２ｍｍに設定され、かつ前方へ均一に１ｍｍ突出する枠部３４１，３４１が設けられている。この場合、板状拡張部３４の前面の上下方向の長さを１４ｍｍに設定しているのは、買い物カゴＫの脚体Ｋ２の高さが１４ｍｍに設定されているからである。
【００４４】
そして、板状拡張部３４の前面の枠部３４１，３４１同士の間にもシリコン製のシート材４５が貼り付けられている。このシート材４５は、前後方向の厚みが１．３ｍｍに設定され、板状拡張部３４の前面の枠部３４１，３４１同士の間に貼り付けたシート材４５に対し買い物カゴＫの脚体Ｋ２の後面が滑り難い状態で前方から押圧されている。また、シート材４５の上端は、板状拡張部３４の各枠部３４１の上端と一致している。
【００４５】
この場合、板状拡張部３４の上下方向の高さは、傾斜面３３１の前端の高さよりも低くなるように設定されている。これは、傾斜面３３１を滑り落ちた買い物カゴＫの脚体Ｋ２の後端がシート材４５の上端に接触しないようにするためであり、接触によるシート材４５の損傷を防止している。なお、図１５に示す仮想線（一点鎖線）は、買い物カゴＫの脚体枠Ｋ２の後端が傾斜面３３１の前端より滑り落ちた際の軌跡を示している。
【００４６】
したがって、本実施の形態では、左右の脚体フレーム１３，１３の間に買い物カゴＫを横置きで載せることが可能でかつ買い物カゴＫの横寸法よりも短い前後寸法の着座板３を設け、買い物カゴＫを載せた際に着座板３よりも前方に飛び出す飛び出し部分Ｋ１を保持する保持部材４に、着座板３の裏面の没入位置と飛び出し部分Ｋ１よりも前方へ突出する突出位置との間で出没自在なスライダ部材４１を設ける。そして、スライダ部材４１に、突出位置に向かって突出した際に上方へ起立するように起倒可能に起き上がった状態で飛び出し部分Ｋ１に前方から当接する当接片４２と、この当接片４２を飛び出し部分Ｋ１に対し前方から押圧した状態で当接させる付勢スプリング４０とを備えている。
【００４７】
このため、着座板３上に買い物カゴＫを載せる際にはスライダ部材４１を突出位置まで突出させることで、上方へ起立する当接片４２が買い物カゴＫの飛び出し部分Ｋ１に対し付勢スプリング４０の付勢力により前方から押圧した状態で当接し、買い物カゴＫが円滑に保持される。このとき、買い物カゴＫの飛び出し部分Ｋ１は、当接片４２の背面に貼り付けたシート材４５によって、買い物カゴＫの飛び出し部分Ｋ１に対し当接片４２を滑り難い状態で押圧することができる。
【００４８】
一方、着座する際には当接片４２を拡張部４１２内に倒伏させた状態でスライダ部材４１が付勢スプリング４０により着座板３の裏面の没入位置に戻され、当接片４２が邪魔となることなく着座が円滑に行える。これにより、背もたれ板を不要にしてコストの低廉化を図りつつ着座板３上に買い物カゴＫを円滑に保持でき、横置きに載せた状態の買い物カゴＫの短手方向の寸法よりも着座板３の前後方向の寸法を短く設定しても着座時に手押し車Ａが不安定な状態となることなく、狭いスペースへ格納することもできる。
【００４９】
また、着座板３の後端左右両位置に落とし込み片３３，３３を設け、買い物カゴＫを載せる際に飛び出し部分Ｋ１に対し前方から押圧するように上方へ起き上がらせた当接片４２を当接させた状態で、買い物カゴＫの脚体Ｋ２の後端を傾斜面３３１の前端より落とし込んで保持するまで付勢スプリング４０の付勢力に抗して前方の突出位置へ向かって当接片４２を押すことで、付勢スプリング４０で付勢されていてもその付勢力に無理なく抗して買い物カゴＫの脚体Ｋ２を傾斜面３３１で滑らせながら前端より買い物カゴＫの脚体Ｋ２の後端を落とし込んで円滑に保持することができる。このとき、買い物カゴＫの脚体Ｋ２の後端は、各落とし込み片３３の傾斜面３３１の前端を起点にして左右両方向へ平板状に拡張された板状拡張部３４に貼り付けられるシリコン製のシート材４５によって、各落とし込み片３３の板状拡張部３４に対し滑り難い状態で圧接できる。
【００５０】
また、着座板３は、収容容器２の上側の容器フレーム２１の周縁をヒンジ３１により開閉可能に閉塞する蓋体として兼用されているので、着座板３の下方に設けた収容容器２の蓋体として着座板３を有効利用することができる。
【００５１】
更に、各落とし込み片３３に、傾斜面３３１の先端を起点にして左右両方向へ板状に拡張させた板状拡張部３４によって、傾斜面３３１を滑らせて落とし込み片３３の前端（傾斜面３３１の先端）より落とし込んだ買い物カゴＫの脚体Ｋ２の後端を板状拡張部３４の広い面積でより円滑に保持することができる。
【００５２】
なお、本発明は、前記実施の形態に限定されるものではなく、その他種々の変形例を包含している。例えば、前記実施の形態では、着座板３の後端左右両位置に落とし込み片３３，３３を設けたが、落とし込み片に代えて、又は落とし込み片に加えて、着座板の後端に買い物カゴを後方から保持する部材が設けられていてもよい。
【００５３】
また、前記実施の形態では、着座板３を収容容器２の上側の容器フレーム２１の周縁を閉塞する蓋体として兼用したが、着座板が収容容器２の上側の容器フレームの周縁に固定されていてもよく、その場合には、収容容器の周囲に蓋付きの開口部を設けておけばよい。
【００５４】
また、前記実施の形態では、当接片４２の背面及び各落とし込み片３３の板状拡張部３４にシリコン製のシート材４５を貼り付けたが、シリコン製に拘らず弾性を有しかつ当接片の背面及び各落とし込み片の拡張部よりも摩擦係数を大きくするシート材であればなんでもよい。また、シート材は必ずしも必要なものではなく、シート材を用いらなくてもよいのはもちろんのこと、当接片の背面及び各落とし込み片の拡張部に対し直に摩擦係数を大きくするような加工、例えば溝状の加工などが施されていてもよい。
【００５５】
また、前記実施の形態では、板状拡張部３４の前面の上下方向の長さを１４ｍｍに設定したが、買い物カゴの脚体の高さに応じて板状拡張部の前面の上下方向の長さを変更すればよく、これに限定されることはない。
【００５６】
更に、前記実施の形態では、手押し車Ａをシルバーカーとして用いた場合について述べたが、歩行車やカートなどの手押し車に適用してもよいのはいうまでもない。
【符号の説明】
【００５７】
１１      ハンドル部（操舵部）
１２      ハンドルフレーム（操舵フレーム）
１３      脚体フレーム
１６      前輪
１８      後輪
３        着座板
３１      ヒンジ
３３      落とし込み片
３３１    傾斜面
３４      板状拡張部
４        保持部材
４０      付勢スプリング（付勢手段）
４１      スライダ部材
４２      当接片
Ａ        手押し車
Ｋ        買い物カゴ
Ｋ１      飛び出し部分
Ｋ２      脚体（底部）
【図１】
2020075664.tif 000003
【図２】
2020075664.tif 000004
【図３】
2020075664.tif 000005
【図４】
2020075664.tif 000006
【図５】
2020075664.tif 000007
【図６】
2020075664.tif 000008
【図７】
2020075664.tif 000009
【図８】
2020075664.tif 000010
【図９】
2020075664.tif 000011
【図１０】
2020075664.tif 000012
【図１１】
2020075664.tif 000013
【図１２】
2020075664.tif 000014
【図１３】
2020075664.tif 000015
【図１４】
2020075664.tif 000016
【図１５】
2020075664.tif 000017
【図１６】
2020075664.tif 000018
【図１７】
2020075664.tif 000019